(57)【要約】【課題】据付が容易な輻射パネル構造体および空気調和機を提供する。【解決手段】輻射パネル構造体５ａは、温度調整された空気によって大気圧より大きな圧力が生じる圧力発生空間ＰＳを有し、空気の吹出しと輻射とによって室内の温度調整を行う輻射パネル構造体であって、複数のユニットパネルＦ１，Ｆ２と、接続部６０とを備える。複数のユニットパネルＦ１，Ｆ２は、輻射によって室内の温度調整を行い、互いに別体に形成されている。接続部６０は、複数のユニットパネルＦ１，Ｆ２を接続する。【選択図】        図３
2004271084.tif 000002
【特許請求の範囲】
【請求項１】
温度調整された空気によって大気圧より大きな圧力が生じる圧力発生空間（ＰＳ）を有し、前記空気の吹出しと輻射とによって室内の温度調整を行う輻射パネル構造体であって、
輻射によって室内の温度調整を行う互いに別体に形成された複数の輻射面（Ｆ１−Ｆ１１）と、
複数の前記輻射面（Ｆ１−Ｆ１１）を接続する第１接続部（６０）と、
を備える、
輻射パネル構造体（５ａ−５ｅ）。
【請求項２】
前記第１接続部（６０）は、複数の前記輻射面（Ｆ１−Ｆ１１）を着脱自在に接続する、
請求項１に記載の輻射パネル構造体（５ａ−５ｅ）。
【請求項３】
前記輻射面（Ｆ１−Ｆ１１）は、前記空気が吹き出す複数の孔を有する、
請求項１または２に記載の輻射パネル構造体（５ａ−５ｅ）。
【請求項４】
前記輻射面（Ｆ１−Ｆ１１）は、所定の輻射率を有する繊維系材料によって形成される、
請求項３に記載の輻射パネル構造体（５ａ−５ｅ）。
【請求項５】
複数の前記輻射面（Ｆ３，Ｆ４）は、前記輻射面（Ｆ３，Ｆ４）毎に大きさの異なる孔を有する、
請求項３または４に記載の輻射パネル構造体（５ｂ）。
【請求項６】
複数の前記輻射面（Ｆ３，Ｆ４）の少なくとも一つには孔が設けられていない、
請求項３から５のいずれかに記載の輻射パネル構造体。
【請求項７】
前記輻射面（Ｆ１−Ｆ１１）と対向して配置され互いに別体に形成された複数の背面（Ｂ１，Ｂ２）と、
複数の前記背面（Ｂ１，Ｂ２）を接続する第２接続部（６０）と、
をさらに備える、
請求項１から６のいずれかに記載の輻射パネル構造体（５ａ−５ｅ）。
【請求項８】
前記輻射面（Ｆ１，Ｆ２）の終端と前記背面（Ｂ１，Ｂ２）の終端とが接合されることによって、前記圧力発生空間（ＰＳ）が構成される、
請求項７に記載の輻射パネル構造体（５ｃ）。
【請求項９】
一端が前記輻射面（Ｆ１，Ｆ２）の終端と接合され他端が前記背面（Ｂ１，Ｂ２）の終端と接合されることにより前記圧力発生空間（ＰＳ）を構成する側面（Ｓ１−Ｓ５）、
をさらに備える、
請求項７に記載の輻射パネル構造体（５ａ）。
【請求項１０】
複数の前記輻射面（Ｆ１−Ｆ１１）はそれぞれ同一の形状を有する、
請求項１から９のいずれかに記載の輻射パネル構造体（５ａ−５ｅ）。
【請求項１１】
請求項１から１０のいずれかに記載の輻射パネル構造体（５ａ−５ｅ）と、
前記輻射パネル構造体（５ａ−５ｅ）が取り付けられる取付部（２７）と、
を備える空気調和機（１）。
【発明の詳細な説明】
【０００１】
【発明の属する技術分野】
本発明は、輻射パネル構造体および空気調和機に関する。
【０００２】
【従来の技術】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【０００３】
【特許文献１】
特開２００１−４１４８８号公報
【０００４】
【発明が解決しようとする課題】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
【０００５】
そこで、本願出願人は、温度調整された空気の吹出しと輻射とを併用して空気調和を行うことができる輻射パネル構造体および空気調和機を開発中である。この輻射パネル構造体および空気調和機は、温度調整された空気によって大気圧より大きな圧力が生じる圧力発生空間を有し、空気の吹出しと輻射とによって室内の温度調整を行うことができる。この輻射パネル構造体および空気調和機によれば、空気の吹出しと輻射とが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【０００６】
ところで、上記のように輻射によって空気調和を行う場合、輻射が行われる輻射面の面積が大きいほど、室内の広い範囲の温度調整を行うことができる。しかし、輻射面の面積が大きくなるほど、室内への輻射パネル構造体の据付が行い難くなる恐れがある。
本発明の課題は、据付が容易な輻射パネル構造体および空気調和機を提供することにある。
【０００７】
【課題を解決するための手段】
請求項１に記載の輻射パネル構造体は、温度調整された空気によって大気圧より大きな圧力が生じる圧力発生空間を有し、空気の吹出しと輻射とによって室内の温度調整を行う輻射パネル構造体であって、複数の輻射面と、第１接続部とを備える。複数の輻射面は、輻射によって室内の温度調整を行い、互いに別体に形成されている。第１接続部は、複数の輻射面を接続する。
【０００８】
この輻射パネル構造体では、複数の輻射面が第１接続部によって接続される。このため、複数の輻射面の全体の面積が大きい場合であっても、全体よりも面積の小さい個々の輻射面を第１接続部によって接続することにより、輻射パネル構造体の据付を行うことができる。このため、この輻射パネル構造体では、据付が容易である。
【０００９】
請求項２に記載の輻射パネル構造体は、請求項１に記載の輻射パネル構造体であって、第１接続部は、複数の輻射面を着脱自在に接続する。
この輻射パネル構造体では、第１接続部は、複数の輻射面を着脱自在に接続する。従って、輻射パネル構造体の据付後であっても、輻射面の着脱が容易である。このため、複数の輻射面全体の面積または形状を容易に変更することができる。
【００１０】
請求項３に記載の輻射パネル構造体は、請求項１または２に記載の輻射パネル構造体であって、輻射面は、空気が吹き出す複数の孔を有する。
この輻射パネル構造体では、輻射面の複数の孔から温度調整された空気が吹き出される。このため、空気の吹出しによって室内の温度調整を行うことができる。また、温度調整された空気によって輻射面の温度調整が行われる。このため、輻射面からの輻射によって、室内の温度調整を行うことができる。このように、この輻射パネル構造体では、輻射と空気の吹出しとによって、室内の温度調整を行うことができる。このため、空気の吹出しのみによる場合よりも、穏やかな吹出しで室内の温度調整を行うことができる。これにより、この輻射パネル構造体では、ドラフトによる不快感を低減することができる。
【００１１】
請求項４に記載の輻射パネル構造体は、請求項３に記載の輻射パネル構造体であって、輻射面は、所定の輻射率を有する繊維系材料によって形成される。なお、輻射面は、輻射による温度調整の観点からは輻射率が０．６以上であることが望ましい。
この輻射パネル構造体では、輻射面は、所定の輻射率を有する繊維系材料によって形成される。従って、温度調整された空気が輻射面の繊維の隙間から吹き出される。このため、輻射面からの空気の吹出しが穏やかである。これにより、この輻射パネル構造体では、ドラフトによる不快感をより低減することができる。
【００１２】
請求項５に記載の輻射パネル構造体は、請求項３または４に記載の輻射パネル構造体であって、複数の輻射面は、輻射面毎に大きさの異なる孔を有する。
この輻射パネル構造体では、輻射面毎に大きさの異なる孔を有するため、圧力発生空間から輻射面を通って吹き出る空気の量は、輻射面ごとに異なる。このため、この輻射パネル構造体では、部位によって異なる量の空気を吹き出すことができる。これにより、室内の状況に適した空気調和を行うことができる。
【００１３】
請求項６に記載の輻射パネル構造体は、請求項３から５のいずれかに記載の輻射パネル構造体であって、複数の輻射面の少なくとも一つには孔が設けられていない。
この輻射パネル構造体では、複数の輻射面の少なくとも一つには孔が設けられていない。このため、吹出しによる空気調和が不要な室内空間の上部に、孔が設けられていない輻射面が位置することにより、室内の状況に適した空気調和を行うことができる。
【００１４】
請求項７に記載の輻射パネル構造体は、請求項１から６のいずれかに記載の輻射パネル構造体であって、複数の背面と第２接続部とをさらに備える。複数の背面は、輻射面と対向して配置され互いに別体に形成されている。第２接続部は、複数の背面を接続する。
この輻射パネル構造体では、輻射面と対向する背面が第２接続部によって接続される。このため、複数の背面の全体の面積が大きい場合であっても、全体よりも面積の小さい個々の背面を接続部によって接続することにより、輻射パネル構造体の据付を行うことができる。これにより、この輻射パネル構造体では、据付がさらに容易である。
【００１５】
請求項８に記載の輻射パネル構造体は、請求項７に記載の輻射パネル構造体であって、輻射面の終端と背面の終端とが接合されることによって、圧力発生空間が構成される。
この輻射パネル構造体では、輻射面と背面とが直接に接合されることによって、圧力発生空間が構成される。このため、この輻射パネル構造体では、圧力発生空間を構成するために必要な部品数を低減することができる。
【００１６】
請求項９に記載の輻射パネル構造体は、請求項７に記載の輻射パネル構造体であって、側面をさらに備える。側面は、一端が輻射面の終端と接合され、他端が背面の終端と接合されることにより、圧力発生空間を構成する。
この輻射パネル構造体では、輻射面と背面とが側面によって接合されることにより、圧力発生空間が構成される。このため、簡易な構造で圧力発生空間を構成することができる。
【００１７】
請求項１０に記載の輻射パネル構造体は、請求項１から９のいずれかに記載の輻射パネル構造体であって、複数の輻射面はそれぞれ同一の形状を有する
この輻射パネル構造体では、複数の輻射面がそれぞれユニット化されている。このため、複数の輻射面の組合せが容易である。これにより、この輻射パネル構造体では、複数の輻射面を組み合わせて種々の形状や面積に容易に形成することができる。
【００１８】
請求項１１に記載の空気調和機は、請求項１から１０のいずれかに記載の輻射パネル構造体と、取付部とを備える。取付部には、輻射パネル構造体が取り付けられる。
この空気調和機では、複数の輻射面が第１接続部によって接続される。このため、複数の輻射面の全体の面積が大きい場合であっても、全体よりも面積の小さい個々の輻射面を第１接続部によって接続することにより、輻射パネル構造体の据付を行うことができる。このため、この空気調和機では、輻射パネル構造体の据付が容易である。
【００１９】
【発明の実施の形態】
＜第１実施形態＞
［全体構成］
本発明の第１実施形態にかかる空気調和機１を図１に示す。この空気調和機１は、室内機２と室外機３とを備えており、輻射と、温度調整された空気の吹き出しとによって冷暖房等の室内の空気調和を行うことができる。なお、図１では、理解の容易のため、空気調和機１の一部が断面図として示されている。
【００２０】
室外機３は、室外に配置され、圧縮機３１、四路切換弁３２、電動弁３３、室外ファン（図示せず）、室外ファンモータ３４、室外機温度センサ３５（以上、図２参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２１】
室内機２は、室内の天井面近傍や側壁等の配置され、室内機ケーシング２１、室内熱交換器２２、室内ファン２３、室内ファンモータ２４（図２参照）、室内機温度センサ２５（図２参照）、輻射パネル構造体５ａなどを備えている。
室内機ケーシング２１は、室内熱交換器２２や室内ファン２３等を内部に収納しており、吸込み口２６と接続口２７とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に接続される。
【００２２】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００２３】
室内機温度センサ２５には、室内熱交換器の温度や室内空気の温度等を検出する各種の温度センサが含まれる。
輻射パネル構造体５ａは、天井面の近傍に配置され、温度調整された空気の温度を利用した輻射と、温度調整された空気の吹出しとによって冷暖房等の空気調和を行う。輻射パネル構造体５ａの構成については、後に詳細に説明する。
【００２４】
また、空気調和機１は、制御部６を備えている。制御部６は、室外機３と室内機２とに分かれて配置されており、空気調和機１の運転制御を行う。制御部６は、図２に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００２５】
［輻射パネル構造体の構成］
図３に輻射パネル構造体５ａの外観図を示す。
輻射パネル構造体５ａは、薄い板状の外形を有しており、平面的な形状となっている。また、輻射パネル構造体５ａは、天井面の近傍に天井面に平行に配置される。このため、輻射パネル構造体５ａは、下方の居住空間に対して他の方向よりも大きな投影面積を有している。輻射パネル構造体５ａは、空気取入れ口５１、輻射部５２および複数の形状保持部材５３等を備えている。
【００２６】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。
輻射部５２は、第１輻射面５４、第２輻射面５５、右側面５６、左側面５７および先端側面５８とからなり、空気によって大気圧より大きな圧力が生じる圧力発生空間ＰＳを内部に構成する。
【００２７】
第１輻射面５４は、四角形の薄いシート状の形状を有しており、圧力発生空間ＰＳの下方を閉じる。第１輻射面５４は、室内の居住空間に面する位置に天井面と平行に配置されている。また、第１輻射面５４は、別体に形成された２枚のユニットパネルＦ１，Ｆ２によって構成されている。このユニットパネルＦ１，Ｆ２は、第１ユニットパネルＦ１と第２ユニットパネルＦ２とがあり、それぞれ長方形のシート状の形状を有しており、約０．９の輻射率を有する織布によって形成されている。また、第１ユニットパネルＦ１と第２ユニットパネルＦ２とは、圧力発生空間ＰＳを流れる空気の流れの方向（白抜き矢印Ａ１参照）に並んで配置されており、第１ユニットパネルＦ１が空気取入れ口５１側に、第２ユニットパネルＦ２が先端側に配置されている。
【００２８】
第２輻射面５５は、第１輻射面５４と同一の形状であり、圧力発生空間ＰＳの上方を閉じる。第２輻射面５５は、第１輻射面５４と対向しており、天井面に面する位置に配置されている。すなわち、第２輻射面５５は、第１輻射面５４と天井面との間に配置されている。また、第２輻射面５５は、第１輻射面５４と同様の別体に形成された２枚のユニットパネルＢ１，Ｂ２によって構成されている。このユニットパネルＢ１，Ｂ２は、第３ユニットパネルＢ１と第４ユニットパネルＢ２とがあり、それぞれ長方形のシート状の形状を有しており、約０．９の輻射率を有する織布によって形成されている。また、第３ユニットパネルＢ１と第４ユニットパネルＢ２とは、圧力発生空間ＰＳを流れる空気の流れの方向に並んで配置されており、第３ユニットパネルＢ１が空気取入れ口５１側に、第４ユニットパネルＢ２が先端側に位置している。第３ユニットパネルＢ１は、圧力発生空間ＰＳを隔てて第１輻第１ユニットパネルＦ１と対向し、第４ユニットパネルＢ２は、圧力発生空間ＰＳを隔てて第２ユニットパネルＦ２と対向している。
【００２９】
なお、上記の第１ユニットパネルＦ１、第２ユニットパネルＦ２、第３ユニットパネルＢ１および第４ユニットパネルＢ２は、すべて同じ長方形の形状を有しており、ユニット化されている。
右側面５６、左側面５７および先端側面５８とは、空気取入れ口５１を除く圧力発生空間ＰＳの側方を閉じており、一端が第１輻射面５４の終端と接合され他端が第２輻射面５５の終端と接合されることにより圧力発生空間ＰＳを構成する。
【００３０】
右側面５６と左側面５７とは、それぞれ第１輻射面５４の側端と第２輻射面５５の側端とをそれぞれ繋いでおり、それぞれ圧力発生空間ＰＳを流れる空気の流れに平行な側面を閉じる。また、右側面５６と左側面５７とは、圧力発生空間ＰＳを挟んで対向している。
右側面５６は、別体に形成された２つの側面パネルＳ１，Ｓ２によって構成されている。側面パネルＳ１，Ｓ２は、第１側面パネルＳ１と第２側面パネルＳ２とがあり、それぞれ細長い長方形のシート状の形状を有しており、約０．９の輻射率を有する織布によって形成されている。また、第１側面パネルＳ１と第２側面パネルＳ２とは、圧力発生空間ＰＳを流れる空気の流れの方向に並んで配置されている。
【００３１】
左側面５７は、右側面５６と同様に、別体に形成された２つの側面パネルＳ３，Ｓ４によって構成されている。側面パネルＳ３，Ｓ４は、第３側面パネルＳ３と第４側面パネルＳ４とがあり、それぞれ細長い長方形のシート状の形状を有しており、約０．９の輻射率を有する織布によって形成されている。また、第３側面パネルＳ３と第４側面パネルＳ４とは、圧力発生空間ＰＳを流れる空気の流れの方向に並んで配置されている。
【００３２】
先端側面５８は、細長い長方形の形状を有しており、第１輻射面５４の先端と第２輻射面５５の先端とをそれぞれ繋いでおり、圧力発生空間ＰＳを流れる空気の流れの下流側の側方を閉じる。先端側面５８は、１枚の第５側面パネルＳ５によって構成されており、この第５側面パネルＳ５は、細長い長方形のシート状の形状を有しており、約０．９の輻射率を有する織布によって形成されている。
【００３３】
なお、上記の第１側面パネルＳ１、第２側面パネルＳ２、第３側面パネルＳ３、第４側面パネルＳ４および第５側面パネルＳ５は、すべて同じ形状を有しており、ユニット化されている。
また、図４および図５に示すように、上記の第１ユニットパネルＦ１の縁部ＥＧには、ベルクロファスナーの凹面が形成されている。第２ユニットパネルＦ２、第３ユニットパネルＢ１および第４ユニットパネルＢ２も同様に、それぞれの縁部ＥＧにはベルクロファスナーの凹面が形成されている。また、第１側面パネルＳ１の縁部ＥＧにも、ベルクロファスナーの凹面が形成されている。第２側面パネルＳ２、第３側面パネルＳ３、第４側面パネルＳ４、および第５側面パネルＳ５も同様に、それぞれの縁部ＥＧにベルクロファスナーの凹面が形成されている。第１ユニットパネルＦ１等や第１側面パネルＳ１等は、接続部６０によって互いに着脱自在に接続される。接続部６０は、帯状の形状を有し、一方の面にベルクロファスナーの凸面が設けられている。
【００３４】
なお、上記の「先端」とは、圧力発生空間ＰＳを流れる空気の流れの下流側の部分を意味しており、「側端」とは、圧力発生空間ＰＳを流れる空気の流れに平行な端部を意味している。
上記のように、輻射パネル構造体５ａは、空気取入れ口５１以外が閉じられた袋状の形状を有している。
【００３５】
複数の形状保持部材５３は、間隔を隔てて配置される糸状の部材である。複数の形状保持部材５３は、それぞれ同じ長さを有しており、一端が第１輻射面５４に接続され他端が第２輻射面５５に接続される。なお、形状保持部材５３は、ベルクロファスナーによって、第１輻射面５４および第２輻射面５５と着脱自在に接続される。複数の形状保持部材５３は、第１輻射面５４と第２輻射面５５の各平面上に略均一に配置されている。形状保持部材５３は、圧力発生空間ＰＳに大気圧より大きな圧力が生じた場合に、第１輻射面５４と第２輻射面５５とを平坦な形状に保持し、輻射部５２を板状の形状に保持する。なお、図３、図４および図５では、形状保持部材５３の一つにのみ符号を付して他の形状保持部材５３については符号を省略している。
【００３６】
［輻射パネル構造体の組立］
この輻射パネル構造体５ａの輻射部５２は、上記のように、複数の複数のユニットパネルＦ１，Ｆ２，Ｂ１，Ｂ２および複数の側面パネルＳ１−Ｓ５によって構成されているため、輻射パネル構造体５ａの据付時の作業が容易である。以下、輻射パネル構造体５ａの据付時における、輻射パネル構造体５ａの組立について説明する。
【００３７】
まず、図４に示すように、第１ユニットパネルＦ１と第３ユニットパネルＢ１とが対向して配置される。そして、複数の形状保持部材５３の一端が第１ユニットパネルＦ１に、他端が第３ユニットパネルＢ１に接続される。同様にして、第２ユニットパネルＦ２と第４ユニットパネルＢ２とが組み立てられる。
次に、図５に示すように、第１ユニットパネルＦ１と第２ユニットパネルＦ２とが並設され、近接している第１ユニットパネルＦ１の縁部ＥＧと第２ユニットパネルＦ２の縁部ＥＧとに接続部６０が重ねられ、第１ユニットパネルＦ１の縁部ＥＧと第２ユニットパネルＦ２の縁部ＥＧとが接続される（図６（ａ）および図６（ｂ）参照）。これにより、第１ユニットパネルＦ１と第２ユニットパネルＦ２とが接続される。また、第３ユニットパネルＢ１と第４ユニットパネルＢ２も同様に接続部６０によって接続される。
【００３８】
そして、第１側面パネルＳ１が第１ユニットパネルＦ１の側端と第３ユニットパネルＢ１の側端とを繋ぐように接続部６０によって接続され、第２側面パネルＳ２が第２ユニットパネルＦ２の側端と第４ユニットパネルＢ２の側端とを繋ぐように接続部６０によって接続される。また、第１側面パネルＳ１と第２側面パネルＳ２とが接続部６０によって接続される。図５では省略されているが、第３側面パネルＳ３と第４側面パネルＳ４についても同様である。さらに、第５側面パネルＳ５が、第２ユニットパネルＦ２の先端と第４ユニットパネルＢ２の先端とを繋ぐように接続部６０によって接続される。
【００３９】
以上のように、輻射パネル構造体５ａが組み立てられる。
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００４０】
この冷却された空気は、図７に示すように、接続口２７および空気取入れ口５１を通って、輻射部５２内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ１参照）に対して垂直な方向に大気圧より大きな圧力が生じる。このため、冷却された空気が、輻射部５２の織布の繊維の隙間から押し出され、室内へと穏やかに吹き出される（実線矢印Ａ３参照）。
【００４１】
また、輻射部５２が冷却された空気と接触することによって、輻射部５２が冷却される。このため、輻射部５２による冷輻射が生じる（破線矢印Ａ４参照）。
このように、この空気調和機１では、輻射部５２の繊維の隙間からの穏やかな吹き出しと、輻射部５２の冷輻射とによって、室内の冷房が行われる。なお、図７では記載が省略されているが、第２輻射面５５においても同様に、輻射と空気の吹出しが行われる。
【００４２】
暖房運転時には、室内熱交換器２２が凝縮器として機能して、通過する空気を加熱する。加熱された空気は、冷房運転時と同様に、輻射部５２内の圧力発生空間ＰＳへと送られる。そして、加熱された空気が、織布の繊維の隙間から押し出され、室内へと穏やかに吹き出される。また、輻射部５２が加熱された空気と接触することによって、輻射部５２が加熱される。そして、輻射部５２による熱輻射が生じる。このように、この空気調和機１では、輻射部５２の繊維の隙間からの穏やかな吹出しと、輻射部５２の熱輻射とによって、室内の暖房が行われる。
【００４３】
［特徴］
（１）
温度調整された空気を直接に室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００４４】
この空気調和機１では、上記のように、輻射と穏やかな空気の吹出しとによって室内の冷暖房を行うことができる。このため、ドラフトによる不快感を解消することができる。
（２）
上記のように、輻射によって室内の温度調整が行われる場合、第１輻射面５４や第２輻射面５５の面積が大きい程、室内のより広範囲の温度調整を行うことができる。一方、第１輻射面５４や第２輻射面５５の面積が大きくなると、輻射パネル構造体５ａが大型化し、室内への据付作業が行い難くなる恐れがある。
【００４５】
しかし、この輻射パネル構造体５ａでは、上記のように、複数のユニットパネルＦ１，Ｆ２，Ｂ１，Ｂ２が接続され組み合わせられることによって、第１輻射面５４や第２輻射面５５が構成される。このため、面積が小さい個々のユニットパネルＦ１，Ｆ２，Ｂ１，Ｂ２を組み立てることによって、面積の大きな第１輻射面５４や第２輻射面５５を作ることができる。これにより、この輻射パネル構造体５ａでは、据付作業が行い易くなっている。
【００４６】
さらに、この輻射パネル構造体５ａでは、圧力発生空間ＰＳに温度調整された空気が送られることによって、第１輻射面５４や第２輻射面５５の温度調整が行われている。従って、圧力発生空間ＰＳには冷媒等を流すための配管が不要である。このため、上記のような組立がより容易であり、据付作業が容易である。
（３）
この輻射パネル構造体５ａでは、複数のユニットパネルＦ１，Ｆ２，Ｂ１，Ｂ２や側面パネルＳ１−Ｓ５が着脱自在に接続されて、輻射部５２が構成される。従って、輻射パネル構造体５ａの据付後であっても、ユニットパネルＦ１，Ｆ２，Ｂ１，Ｂ２や側面パネルＳ１−Ｓ５の着脱が容易である。このため、広範囲の温度調整が不要な場合などには、第２ユニットパネルＦ２と第４ユニットパネルＢ２とを取り外すことにより、第１輻射面５４と第２輻射面５５の輻射面積を約半分にすることができる。また、広範囲の温度調整が必要になった場合には、取り外された第２ユニットパネルＦ２と第４ユニットパネルＢ２とを再び取り付けることにより、第１輻射面５４や第２輻射面５５の輻射面積を元に戻すことができる。このように、この輻射パネル構造体５ａでは、第１輻射面５４や第２輻射面５５の輻射面積の変更が容易である。
【００４７】
（４）
織布は柔軟性を有するため、圧力発生空間ＰＳに大気圧より大きな圧力が生じると、織布で形成された輻射部５２が膨らみ、円筒形状に近づき易い。この場合、上記の様な輻射部５２の平坦な形状が保持されない恐れがある。
しかし、この空気調和機１の輻射パネル構造体５ａでは、第１輻射面５４と第２輻射面５５との距離が形状保持部材５３により維持される。このため、柔軟な第１輻射面５４と第２輻射面５５とが膨らむことを抑えて、平坦な形状を保持することができる。
【００４８】
また、形状保持部材５３は、第１輻射面５４と第２輻射面５５とに着脱自在に接続されるため、上記（１）のような輻射パネル構造体５ａの組立の容易さが阻害されない。
なお、上記の形状保持部材５３ｂは糸状の部材であるが、帯状の部材であっても剛性を有する棒状の部材であってもよく、輻射部５２の形状を保持する効果を奏することができる。ただし、輻射パネル構造体５ａが織布の柔軟性に基づく効果を奏するためには、形状保持部材５３ｂは、糸状の柔軟な材料で形成されることが望ましい。
【００４９】
（５）
輻射によって空気調和を行う従来の空気調和機では、輻射率の高い金属製の輻射パネルが用いられることが多い。
この空気調和機１では、輻射部５２が織布によって形成されているが、この織布は約０．９の輻射率を有する。このため、織布であっても輻射による室内の冷暖房を十分効果的に行うことができる。
【００５０】
また、織布の繊維の隙間から吹き出る空気によって、第１輻射面５４や第２輻射面５５の外側まで、輻射部５２の内部の温度と同じ温度となっている。このため、輻射による室内の冷暖房を効率的に行うことができる。
（６）
この空気調和機１では、輻射パネル構造体５ａは、室内機ケーシング２１の接続口２７に脱着自在に取り付けられる。このため、輻射パネル構造体５ａを室内機ケーシング２１から取り外すことや、再び取り付けることが容易である。従って、輻射パネル構造体５ａの取付工事やメンテナンスが容易である。
【００５１】
また、輻射部５２は織布で形成されている。このため、輻射部５２に汚れが付着した場合に、輻射パネル構造体５ａを取り外して洗浄することができる。
＜第２実施形態＞
［構成］
本発明の第２実施形態にかかる空気調和機１では、輻射パネル構造体５ｂの第１ユニットパネルＦ３と第２ユニットパネルＦ４とで、織布の繊維の目の粗さが異なっている。第１ユニットパネルＦ３の方が、第２ユニットパネルＦ４よりも、繊維の目が細かい。
【００５２】
他の構成については、第１実施形態にかかる輻射パネル構造体５ａと同様である。
［特徴］
（１）
この空気調和機１では、図８に示すように、第１ユニットパネルＦ３からは弱い風量の吹出しが行われ（実践矢印Ａ５参照）、第２ユニットパネルＦ４からは強い風量の吹出しが行われる（実践矢印Ａ６参照）。すなわち、第１輻射面５４から吹き出る空気の量は、第１輻射面５４の部位によって異なる。このため、部分的に異なる空気調和を行うことができる。従って、室内空間のうち主たる居住空間の上方に第２ユニットパネルＦ４が配置されることにより、主たる居住空間の温度調整を速やかに行うことができる。
【００５３】
なお、空気調和機１では、このように速やかな温度調整が行われる場合であっても、対流型空気調和機と比べて、ドラフトによる不快感は低減されている。また、上記とは逆に主たる居住空間の上方に第１ユニットパネルＦ３が配置されることにより、ドラフトによる不快感が生じる恐れをより低減することができる。
このように、この空気調和機１では、一つの部屋の中で個別空調が可能となり、室内の状況に適した空気調和を行うことができる。
【００５４】
なお、第１ユニットパネルＦ３から弱い風量の吹出しが行われるのではなく、第１ユニットパネルＦ３を孔がない材料で形成することによって、第１ユニットパネルＦ３からの吹出しが行われないようにしてもよい。
（２）
この輻射パネル構造体５ｂでは、第１輻射面５４は、繊維の目の粗さがそれぞれ異なる第１ユニットパネルＦ３と第２ユニットパネルＦ４とによって構成される。このため、この輻射パネル構造体５ｂでは、繊維の目の粗さがそれぞれ異なる第１ユニットパネルＦ３と第２ユニットパネルＦ４とを繋ぎ合わせることによって、繊維の目の粗さが部位によって異なる第１輻射面５４を容易に形成することができる。
【００５５】
＜第３実施形態＞
［構成］
上記の第１実施形態では、第１輻射面５４と第２輻射面５５とが側面５６−５８によって接続されているが、図９（ａ）および図９（ｂ）に示すように、輻射パネル構造体５ｃの第１輻射面５４と第２輻射面５５との端部が、側面５６−５８を介さずに直接に接合されてもよい。
【００５６】
例えば、第２ユニットパネルＦ２の先端と第４ユニットパネルＢ２の先端とを接合する場合を考える。この場合、まず、図９（ａ）に示すように、第２ユニットパネルＦ２の先端と第４ユニットパネルＢ２の先端とを近接させる。そして、図９（ｂ）に示すように、近接した第２ユニットパネルＦ２の先端と第４ユニットパネルＢ２の先端とに接続部６０を重ねて固定する。これにより、第２ユニットパネルＦ２の先端と第４ユニットパネルＢ２の先端とが直接に接合され、圧力発生空間ＰＳの先端側の側方が閉じられる。第２ユニットパネルＦ２と第４ユニットパネルＢ２との側端についても同様に直接に接合することができる。また、第１ユニットパネルＦ１と第３ユニットパネルＢ１についても同様である。
【００５７】
他の構成については、第１実施形態かかる空気調和機１と同様である。
［特徴］
この輻射パネル構造体５ｃでは、第１輻射面５４と第２輻射面５５とが直接に接合されることによって、圧力発生空間ＰＳが構成される。このため、この輻射パネル構造体５ｃでは、側面パネルＳ１−Ｓ５が不要であり、圧力発生空間ＰＳを構成するために必要な部品数と、組立て時の作業工数とを低減することができる。
【００５８】
＜第４実施形態＞
［構成］
第４実施形態にかかる輻射パネル構造体５ｄでは、第１輻射面５４を構成する第１ユニットパネルＦ５（Ｆ８）および第２ユニットパネルＦ６（Ｆ９）に、さらに、第５ユニットパネルＦ７（Ｆ１０）が追加される。例えば、以下の（Ａ）や（Ｂ）のような場合が考えられる。なお、説明の容易のため第１輻射面５４についてのみ説明するが、第２輻射面５５についても同様である。
【００５９】
他の構成については、第１実施形態にかかる空気調和機１と同様である。
（Ａ）
図１０（ａ）に示すように、第１ユニットパネルＦ５と第２ユニットパネルＦ６とは同じ形状であり、圧力発生空間ＰＳへと送られる空気の流れ（白抜き矢印Ａ１参照、以下「流れ方向」と言う。）に垂直な方向に長い長方形の形状を有している。第１ユニットパネルＦ５と第２ユニットパネルＦ６とは、流れ方向に並んで配置され、接続部６０によって着脱自在に接続されている。
【００６０】
このような第１ユニットパネルＦ５と第２ユニットパネルＦ６とに対して、第５ユニットパネルＦ７が追加される。図１０（ｂ）に示すように、第２ユニットパネルＦ６の先端側に第５ユニットパネルＦ７が接続されて追加される。第１ユニットパネルＦ５、第２ユニットパネルＦ６および第５ユニットパネルＦ７は、流れ方向に並んで配置される。従って、第１輻射面５４は、圧力発生空間ＰＳへと送られる空気の下流方向へと延長され、第１輻射面５４の面積が約１．５倍になっている。
【００６１】
第５ユニットパネルＦ７の先端側にさらに複数のユニットパネルを追加することもできる。これにより、第１輻射面５４が、圧力発生空間ＰＳへと送られる空気の下流方向へとさらに延長され、第１輻射面５４の面積がさらに増大する。逆に、ユニットパネルの数を減らすことも可能である。例えば、図１０（ｂ）の状態から第５ユニットパネルＦ７が取り除かれ、また、さらに第２ユニットパネルＦ６が取り除かれてもよい。これにより、第１輻射面５４が、圧力発生空間ＰＳへと送られる空気の上流方向へと収縮され、第１輻射面５４の面積が減少する。
【００６２】
（Ｂ）
図１１（ａ）に示すように、第１ユニットパネルＦ８と第２ユニットパネルＦ９とは同じ形状であり、流れ方向に長い長方形の形状を有している。第１ユニットパネルＦ８と第２ユニットパネルＦ９とは流れ方向に垂直な方向に並んで配置され、接続部６０によって着脱自在に接続されている。
【００６３】
このような第１ユニットパネルＦ８と第２ユニットパネルＦ９とに対して、第５ユニットパネルＦ１０が追加される。図１１（ｂ）に示すように、第２ユニットパネルＦ９の側端に第５ユニットパネルＦ１０が接続されて追加される。第１ユニットパネルＦ８、第２ユニットパネルＦ９および第５ユニットパネルＦ１０は、流れ方向に垂直な方向に並んで配置される。従って、第１輻射面５４が、流れ方向に垂直な方向へと延長され、第１輻射面５４の面積が約１．５倍になっている。
【００６４】
また、上記（Ａ）と同様に、ユニットパネルの数の増減が可能である。
［特徴］
この輻射パネル構造体５ｄでは、接続部６０によってユニットパネルＦ５−Ｆ１０が着脱自在に接続される。従って、輻射パネル構造体５ｄの初期の据付時のみならず、据付後であってもユニットパネルＦ５−Ｆ１０の追加や除去が容易である。このため、居住者等の必要に応じて、第１輻射面５４等の面積を変更することができる。また、部屋の形状やレイアウトに合わせて、輻射パネル構造体５ｄの形状を変更することもできる。
【００６５】
＜第５実施形態＞
［構成］
本発明の第５実施形態にかかる輻射パネル構造体５ｅでは、第１輻射面５４と第２輻射面５５とは、複数のユニットパネルＦ１１により構成されている。この複数のユニットパネルＦ１１は、正方形の形状を有しており、すべて同じ形状となっている。また、各ユニットパネルＦ１１は、第１実施形態にかかる第１ユニットパネルＦ１や第２ユニットパネルＦ２と同様に、接続部６０によって着脱が自在である。このため、複数のユニットパネルＦ１１は、様々な形状に組み合わせられることができる。また、形状の変更も容易である。以下の（Ａ）から（Ｄ）に、組合せの例を示す。なお、図１２では、ユニットパネルＦ１１の一つにのみ符号を付して、他のユニットパネルＦ１１については、符号を省略している。また、説明の容易のために、第１輻射面５４についてのみ説明するが、第２輻射面５５についても同様である。
【００６６】
他の構成については、第１実施形態にかかる空気調和機１と同様である。
（Ａ）
図１２（ａ）に示すように、合計１５枚のユニットパネルＦ１１が縦３列、横５列に配置されることにより、第１輻射面５４が長方形の形状となっている。
（Ｂ）
図１２（ｂ）に示すように、合計９枚のユニットパネルＦ１１が組み合わされて、第１輻射面５４が略Ｌ字型に折れ曲がった形状となっている。
【００６７】
（Ｃ）
図１２（ｃ）に示すように、合計９枚のユニットパネルＦ１１が組み合わされて、第１輻射面５４が十字型の形状となっている。
（Ｄ）
図１２（ｄ）に示すように、合計１２枚のユニットパネルＦ１１が組み合わされて、第１輻射面５４が、中央部に長方形の穴が設けられた長方形の形状となっている。
【００６８】
［特徴］
（１）
この輻射パネル構造体５ｅでは、第１輻射面５４や第２輻射面５５が複数のユニットパネルＦ１１によって構成されている。また、各ユニットパネルＦ１１は正方形の形状となっており、ユニット化されている。このため、ユニットパネルＦ１１の組合せの自由度が高い。従って、室内の状況に応じて、ユニットパネルＦ１１を増減させることにより、第１輻射面５４や第２輻射面５５の面積、形状、位置を容易に変更することができる。
【００６９】
（２）
この輻射パネル構造体５ｅでは、ユニットパネルＦ１１毎の向きの変更が可能である。すなわち、ユニットパネルＦ１１は、正方形の形状を有しているため、９０度単位で向きが変更された場合でも、同じ姿勢である。このため、図１３（ａ）および図１３（ｂ）に示すように、第１輻射面５４や第２輻射面５５の形状を変更せずに、ユニットパネルＦ１１の一つの向きを変更することができる。
【００７０】
特に、ユニットパネルＦ１１の吹出しに指向性がある場合（白抜き矢印Ａ７参照）は、ユニットパネルＦ１１毎に向きを変更することにより、部分的に吹出し方向を変更することができる（白抜き矢印Ａ８参照）。なお、第１実施形態のようにユニットパネルＦ１１が正方形ではなく長方形である場合は、１８０度単位で向きが変更された場合でも、同様の効果が得られる。
【００７１】
（３）
ユニットパネルＦ１１毎の向きの変更が可能であるという効果に関しては、ユニットパネルＦ１１は、正Ｎ角形（Ｎは３以上の整数）の平面的形状を有していればよい。例えば、正三角形であれば、１２０度単位で向きが変更された場合でも同じ姿勢であり、正六角形であれば、６０度単位で向きが変更された場合でも同じ姿勢である。
【００７２】
（４）
この輻射パネル構造体５ｅでは、全体の形状やユニットパネルＦ１１からの吹出し方向等を変更することが容易である。このため、輻射パネル構造体５ｅの形状はもちろん、室内の家具や人の居住域等が変更になった場合であっても、容易に対応することができる。従って、無駄の少ない室内のレイアウト等に適した空気調和を行うことができる。これにより、必要以上に強い吹出しを行う必要がないため、ドラフトによる不快感が解消され居住者等の快適感が向上する。また、無駄な空気調和が抑制されるため、省エネルギ化が実現される。
【００７３】
＜他の実施形態＞
（１）
上記の第１実施形態では、ユニットパネルＦ１，Ｆ２，Ｂ１，Ｂ２、側面パネルＳ１−Ｓ５がそれぞれユニット化されているが、これらのうちの幾つかが組み合わされたものが一つのユニットとされてもよい。例えば、第１ユニットパネルＦ１と第３ユニットパネルＢ１との組合せが一つのユニットとされてもよい（図４参照）。また、第１ユニットパネルＦ１と第２ユニットパネルＦ２との組合せが一つのユニットとされてもよい。このような場合でも、据付が容易である。また、各ユニットが追加または除去されることにより、輻射面積の増減も容易である。
【００７４】
（２）
上記の実施形態では、ベルクロファスナーが利用されているが、着脱自在な他の接続手段が利用されてもよい。
（３）
上記の実施形態では、ユニットパネルＦ１−Ｆ１１は、長方形や正方形の形状を有しているが、三角形や六角形などの他の形状でユニット化されていてもよい。
【００７５】
（４）
上記の実施形態では、第１輻射面５４や第２輻射面５５は、少なくとも一部が柔軟性を有する繊維系材料によって形成されているが、金属材料や合成樹脂材料など剛性を有する材料で形成されてもよい。この場合、繊維の目の隙間の代わりに複数の孔が第１輻射面５４や第２輻射面５５等に設けられる。
【００７６】
さらに、上記の実施形態では、輻射部５２の材料として織布が使用されているが、織布以外の繊維系材料が使用されてもよい。
（５）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００７７】
（６）
上記の実施形態では、天井近傍に輻射パネル構造体５ａ−５ｅが配置されているが、輻射パネル構造体５ａ−５ｅが室内の側壁近傍に沿うように配置されてもよい。
（７）
上記の実施形態にかかる輻射パネル構造体５ａ−５ｅは、接続口２７に着脱自在に取り付けられるが、既存の対流型空気調和機に取り付け可能となっていてもよい。これにより、既存の対流型空気調和機を有効利用して、上記と同様の空気調和機１を簡易に構成することができる。
【００７８】
（８）
上記の実施形態では、輻射部５２は、ユニットパネルＦ１−Ｆ１１，Ｂ１，Ｂ２や側面パネルＳ１−Ｓ５によって構成され比較的平坦な形状を有しているが、曲面によって構成されてもよい。ただし、室内のより広い範囲に対して輻射を行うためには、上記のような比較的平坦な形状がより望ましい。
【００７９】
【発明の効果】
請求項１に記載の輻射パネル構造体では、複数の輻射面が第１接続部によって接続される。このため、複数の輻射面の全体の面積が大きい場合であっても、全体よりも面積の小さい個々の輻射面を第１接続部によって接続することにより、輻射パネル構造体の据付を行うことができる。このため、この輻射パネル構造体では、据付が容易である。
【００８０】
請求項２に記載の輻射パネル構造体では、第１接続部は、複数の輻射面を着脱自在に接続する。従って、輻射パネル構造体の据付後であっても、輻射面の着脱が容易である。このため、複数の輻射面全体の面積または形状を容易に変更することができる。
請求項３に記載の輻射パネル構造体では、輻射面の複数の孔から温度調整された空気が吹き出される。このため、空気の吹出しによって室内の温度調整を行うことができる。また、温度調整された空気によって輻射面の温度調整が行われる。このため、輻射面からの輻射によって、室内の温度調整を行うことができる。このように、この輻射パネル構造体では、輻射と空気の吹出しとによって、室内の温度調整を行うことができる。このため、空気の吹出しのみによる場合よりも、穏やかな吹出しで室内の温度調整を行うことができる。これにより、この輻射パネル構造体では、ドラフトによる不快感を低減することができる。
【００８１】
請求項４に記載の輻射パネル構造体では、輻射面は、所定の輻射率を有する繊維系材料によって形成される。従って、温度調整された空気が輻射面の繊維の隙間から吹き出される。このため、輻射面からの空気の吹出しが穏やかである。これにより、この輻射パネル構造体では、ドラフトによる不快感をより低減することができる。
【００８２】
請求項５に記載の輻射パネル構造体では、輻射面毎に大きさの異なる孔を有するため、圧力発生空間から輻射面を通って吹き出る空気の量は、輻射面ごとに異なる。このため、この輻射パネル構造体では、部位によって異なる量の空気を吹き出すことができる。これにより、室内の状況に適した空気調和を行うことができる。
【００８３】
請求項６に記載の輻射パネル構造体では、複数の輻射面の少なくとも一つには孔が設けられていない。このため、吹出しによる空気調和が不要な室内空間の上部に、孔が設けられていない輻射面が位置することにより、室内の状況に適した空気調和を行うことができる。
請求項７に記載の輻射パネル構造体では、輻射面と対向する背面が第２接続部によって接続される。このため、複数の背面の全体の面積が大きい場合であっても、全体よりも面積の小さい個々の背面を接続部によって接続することにより、輻射パネル構造体の据付を行うことができる。これにより、この輻射パネル構造体では、据付がさらに容易である。
【００８４】
請求項８に記載の輻射パネル構造体では、輻射面と背面とが直接に接合されることによって、圧力発生空間が構成される。このため、この輻射パネル構造体では、圧力発生空間を構成するために必要な部品数を低減することができる。
請求項９に記載の輻射パネル構造体では、輻射面と背面とが側面によって接合されることにより、圧力発生空間が構成される。このため、簡易な構造で圧力発生空間を構成することができる。
【００８５】
請求項１０に記載の輻射パネル構造体では、複数の輻射面がそれぞれユニット化されている。このため、複数の輻射面の組合せが容易である。これにより、この輻射パネル構造体では、複数の輻射面を組み合わせて種々の形状や面積に容易に形成することができる。
請求項１１に記載の空気調和機では、複数の輻射面が第１接続部によって接続される。このため、複数の輻射面の全体の面積が大きい場合であっても、全体よりも面積の小さい個々の輻射面を第１接続部によって接続することにより、輻射パネル構造体の据付を行うことができる。このため、この空気調和機では、輻射パネル構造体の据付が容易である。
【図面の簡単な説明】
【図１】第１実施形態にかかる空気調和機の側面図。
【図２】制御ブロック図。
【図３】第１実施形態にかかる輻射パネル構造体の外観図。
【図４】輻射パネル構造体の組立を示す外観図。
【図５】輻射パネル構造体の組立てを示す外観図。
【図６】（ａ）接続部によるユニットパネルの接続を示す図。
（ｂ）接続部によるユニットパネルの接続を示す図。
【図７】空気調和機の空気の流れを示す図。
【図８】第２実施形態にかかる輻射パネル構造体と空気の流れを示す図。
【図９】（ａ）第３実施形態にかかる輻射パネル構造体の組立の一部を示す図。
（ｂ）第３実施形態にかかる輻射パネル構造体の組立の一部を示す図。
【図１０】（ａ）第４実施形態にかかる輻射パネル構造体（ユニットパネルの追加前）を示す図。
（ｂ）第４実施形態にかかる輻射パネル構造体（ユニットパネルの追加後）を示す図。
【図１１】（ａ）第４実施形態にかかる輻射パネル構造体（ユニットパネルの追加前）を示す図。
（ｂ）第４実施形態にかかる輻射パネル構造体（ユニットパネルの追加後）を示す図。
【図１２】（ａ）第５実施形態にかかる輻射パネル構造体における単位ユニットの配置の一例を示す図。
（ｂ）第５実施形態にかかる輻射パネル構造体における単位ユニットの配置の一例を示す図。
（ｃ）第５実施形態にかかる輻射パネル構造体における単位ユニットの配置の一例を示す図。
（ｄ）第５実施形態にかかる輻射パネル構造体における単位ユニットの配置の一例を示す図。
【図１３】（ａ）第５実施形態にかかる輻射パネル構造体（ユニットパネルの向きの変更前）の図。
（ｂ）第５実施形態にかかる輻射パネル構造体（ユニットパネルの向きの変更後）の図。
【符号の説明】
１              空気調和機
５ａ−５ｅ      輻射パネル構造体
２７            接続口（取付部）
６０            接続部（第１接続部、第２接続部）
Ｂ１，Ｂ２      ユニットパネル（背面）
Ｆ１−Ｆ１１    ユニットパネル（輻射面）
Ｓ１−Ｓ５      側面パネル（側面）
ＰＳ            圧力発生空間
【図１】
2004271084.tif 000003
【図２】
2004271084.tif 000004
【図３】
2004271084.tif 000005
【図４】
2004271084.tif 000006
【図５】
2004271084.tif 000007
【図６】
2004271084.tif 000008
【図７】
2004271084.tif 000009
【図８】
2004271084.tif 000010
【図９】
2004271084.tif 000011
【図１０】
2004271084.tif 000012
【図１１】
2004271084.tif 000013
【図１２】
2004271084.tif 000014
【図１３】
2004271084.tif 000015